【事件の表示】
　特許第３２４３９５５号「腋下用化粧料」の請求項１ないし３に係る特許に対する特許異議の申立てについて、次のとおり決定する。
【結　論】
　訂正を認める。
　特許第３２４３９５５号の請求項１ないし３に係る特許を維持する。
【理　由】
１．手続の経緯
　本件特許第３２４３９５５号の請求項１ないし９の発明についての出願は、平成６年１２月２８日に特許出願され、平成１３年１０月２６日にその発明について特許権の設定登録がなされ、その後、山崎孝より特許異議の申立てがなされ、取り消しの理由が通知され、その指定期間内である平成１４年１２月１９日に訂正請求がなされたものである。
　
２．訂正の適否
（１）訂正の内容
　特許請求の範囲の請求項１〜４及び６の記載を次のとおりに訂正する。（以下、訂正された請求項を「訂正後の請求項１」などという。）
【請求項１】サイクロデキストリン類で包接された香料と、包接されていない香料を含有し、
　サイクロデキストリンが式（１）
　
　
（式（１）中、ｎは６〜８の数であり、ｎ個のＲ１、ｎ個のＲ２及びｎ個のＲ３はそれぞれ独立的に水素原子、糖残基、又はカルボキシル基で置換してもよいアルキル基である。但し、ｎ個のＲ１、ｎ個のＲ２及びｎ個のＲ３は同時に水素原子ではない。）
で表される腋下用化粧料。
【請求項２】式（１）において、ｎが７である請求項１記載の腋下用化粧料。
【請求項３】サイクロデキストリン類で包接された香料と、包接されていない香料を含有し、
　サイクロデキストリンが式（１）
　
　
（式（１）中、ｎは６〜８の数であり、ｎ個のＲ１、ｎ個のＲ２及びｎ個のＲ３はそれぞれ独立的に水素原子、糖残基、又はヒドロキシル基もしくはカルボキシル基で置換してもよいアルキル基である。但し、ｎ個のＲ１、ｎ個のＲ２及びｎ個のＲ３は同時に水素原子ではない。）
で表され、ｎ個のＲ１、ｎ個のＲ２及びｎ個のＲ３の少なくとも一つが糖残基である腋下用化粧料。
【請求項４】前記式（１）において、ｎが７である請求項３記載の腋下用化粧料。
【請求項６】糖残基がグリコシル基、マルトシル基又はマルトオリゴ糖残基である１〜５のいずれかに記載の腋下用化粧料。
　
（２）訂正の目的の適否、新規事項の有無、及び特許請求の範囲の拡張・変更の存否
　上記訂正のうち、訂正後の請求項１ないし４は、訂正前の請求項１ないし４中のサイクロデキストリン類を特定の構造を有するものに限定するものであるから、いずれも、特許請求の範囲の減縮を目的とした明細書の訂正に該当し、願書に添付した明細書に記載した事項の範囲内であり、実質上特許請求の範囲を拡張し、又は変更するものではない。
　また、訂正後の請求項６は、訂正前の請求項６において引用する請求項が訂正されたことに伴い、整合性をとるために訂正されたものであり、明りょうでない記載の釈明を目的とした明細書の訂正に該当し、願書に添付した明細書に記載した事項の範囲内であり、実質上特許請求の範囲を拡張し、又は変更するものではない。
　
（３）独立特許要件
　上記のとおり、請求項４に係る訂正は、特許異議の申立てがされていない請求項についての訂正であって、特許請求の範囲の減縮を目的としたものに該当するから、訂正後の請求項４の発明の独立特許要件について検討する。
　訂正後の請求項４の発明は、平成１４年１２月１９日付け訂正明細書の特許請求の範囲の請求項４に記載されたとおりのものであって、同請求項３の発明の構成要件を全て含むものである。
　そして、訂正後の請求項３の発明が、下記３．（５）のとおり、特許異議申立人が提出した刊行物１に記載された発明に基づいて当業者が容易に発明できたものと認めることができないので、その一部の構成を限定するにすぎない訂正後の請求項４の発明も、同様の理由により、申立人が提出した刊行物１に記載された発明に基づいて当業者が容易に発明できたものと認めることができない。
　したがって、訂正後の請求項４の発明は、特許出願の際、独立して特許を受けることができるものである。
　
（４）むすび
　以上のとおりであるから、上記訂正は、特許法第１２０条の４第２項及び同条第３項において準用する同法第１２６条第２項から第４項の規定に適合するので、この訂正を認める。
　
３．特許異議の申立てについての判断
（１）申立ての概要
　特許異議申立人山崎孝は、下記の甲第１号証より、請求項１ないし３の発明に係る特許は、特許法第２９条第２項の規定に違反してなされたものであるから取り消すべき旨主張している。
　甲第１号証：特開平６−２８７１２７号公報
　
（２）請求項１ないし３の発明
　上記２．で示したように訂正が認められるから、本件特許第３２４３９５５号の請求項１ないし３の発明は、平成１４年１２月１９日付けの訂正明細書の特許請求の範囲の請求項１ないし３に記載されたとおりのものである。（上記２．（１）訂正の内容参照。）
　
（３）訂正後の請求項１の発明について
　当審が通知した取消しの理由に引用された刊行物１（甲第１号証）には、「香料成分を１〜３０重量％とアルコールとからなる香料組成物においてヒドロキシアルキル化β−シクロデキストリンを含有することを特徴とする香料組成物」（請求項１）が記載されており、さらに、「ヒドロキシアルキル化β−シクロデキストリンの含有量は、香料成分の配合量の１／１０倍量以上、好ましくは１／５倍量以上、さらに好ましくは１倍量以上である。」（段落０００６）と記載されていることから、ヒドロキシアルキル化β−シクロデキストリンの代表的な分子量が一般的な香料の分子量より大きいという事実を参酌すると、刊行物１記載の香料組成物においては、モル比換算で香料がヒドロキシアルキル化β−シクロデキストリンに対し過剰に存在していると認められる。したがって、刊行物１には、「ヒドロキシアルキル化β−シクロデキストリンで包接された香料と、包接されていない香料とを含有する香料組成物」（以下、「刊行物１記載の発明」という。）が記載されているものと認められる。
　そこで、訂正後の請求項１の発明と刊行物１記載の発明とを対比すると、両者は、サイクロデキストリン類（サイクロデキストリンとシクロデキストリンが同一の化合物群を表す技術用語であることは明らかである。）で包接された香料と、包接されていない香料を含有する組成物である点で一致し、サイクロデキストリン類が、前者では式（１）（式は省略；式については上記２．（１）の請求項１参照）で表される、置換基としてヒドロキシアルキル基を含まないサイクロデキストリンであるのに対し、後者ではヒドロキシアルキル化β−シクロデキストリンである点、及び、前者が腋下用化粧料であるのに対し、後者は香料組成物である点、で相違する。
　ところで、刊行物１には、ヒドロキシアルキル化β−シクロデキストリンのみが記載されており、その他のサイクロデキストリンについては記載も示唆もなく、また、刊行物１の香料組成物が特に腋下用化粧料として適することについての記載も示唆もない。
　そして、訂正後の請求項１の発明においては、サイクロデキストリン類として、式（１）で表される特定の構造のサイクロデキストリンに限定し、かつ、これを腋下用化粧料に使用することにより、明細書記載の「使用直後の香りだちが良好で、しかも少なくとも２時間程度の持続性を有する香料を含有する腋下用化粧料を提供する」といった顕著な効果を奏するものと認められる。
　してみると、訂正後の請求項１の発明は、刊行物１に記載された発明に基づいて当業者が容易に発明できたものとすることができない。
　
（４）訂正後の請求項２の発明について
　訂正後の請求項２の発明は、訂正後の請求項１の発明の構成要件を全て含み、さらに他の構成要件を付加したものに相当するから、上記（３）で説示したと同様に理由により、刊行物１に記載された発明に基づいて当業者が容易に発明できたものとすることができない。
　
（５）訂正後の請求項３の発明について
　訂正後の請求項３の発明と刊行物１記載の発明とを対比すると、両者は、サイクロデキストリン類で包接された香料と、包接されていない香料を含有する組成物である点で一致し、サイクロデキストリン類が、前者では式（１）（式は省略；式については上記２．（１）の請求項３参照）で表される、置換基として糖残基を少なくとも一つ有するサイクロデキストリンであるのに対し、後者ではヒドロキシアルキル化β−シクロデキストリンである点、及び、前者が腋下用化粧料であるのに対し、後者は香料組成物である点、で相違する。
　したがって、訂正後の請求項３の発明は、上記（３）で説示したと同様に理由により、刊行物１に記載された発明に基づいて当業者が容易に発明できたものとすることができない。
　
（６）むすび
　以上のとおりであるから、訂正後の請求項１ないし３の発明の特許は、特許異議申立ての理由及び証拠によっては取り消すことはできない。
　また、他に訂正後の請求項１ないし３の発明の特許を取り消すべき理由を発見しない。
　よって、結論のとおり決定する。
【異議決定日】
平成１５年１月２８日（２００３．１．２８）
【訂正の要旨】
訂正事項
（ａ）特許第３２４３９５５号公報の特許請求の範囲における請求項１について、特許請求の範囲の減縮を目的として、
　特許第３２４３９５５号公報第１頁第１欄第２行に、「サイクロデキストリン類で包接された香料と、包接されていない香料とを含有する腋下用化粧料。」との記載を
　「サイクロデキストリン類で包接された香料と、包接されていない香料とを含有
し、
　
サイクロデキストリン類が式（１）
　
【化１】
（式（１）中、ｎは６〜８の数であり、ｎ個のＲ１、ｎ個のＲ２及びｎ個のＲ３はそれぞれ独立的に水素原子、糖残基、又はカルボキシル基で置換してもよいアルキル基である。但し、ｎ個のＲ１、ｎ個のＲ２及びｎ個のＲ３は同時に水素原子ではない。）
で表される
（ｂ）特許第３２４３９５５号公報の特許請求の範囲における請求項２について、特許請求の範囲の減縮を目的として、
　特許第３２４３９５５号公報第１頁第２欄第２行に、「サイクロデキストリン類が式（１）
　【化１】
（式（１）中、ｎは６〜８の数であり、ｎ個のＲ１、ｎ個のＲ２及びｎ個のＲ３はそれぞれ独立的に水素原子、糖残基、又はヒドロキシル基もしくはカルボキシル基で置換してもよいアルキル基である。但し、ｎ個のＲ１、ｎ個のＲ２及びｎ個のＲ３は同時に水素原子ではない。）
で表される請求項１記載の腋下用化粧料。」との記載を
　「式（１）において、ｎが７である請求項
１
（ｃ）特許第３２４３９５５号公報の特許請求の範囲における請求項３について、
　特許第３２４３９５５号公報第２頁第３欄第７行に、「式（１）において、ｎが７である請求項２記載の腋下用化粧料。」との記載を
　「サイクロデキストリン類で包接された香料と、包接されていない香料とを含有し、
　
サイクロデキストリン類が式（１）
　
【化２】
（式（１）中、ｎは６〜８の数であり、ｎ個のＲ１、ｎ個のＲ２及びｎ個のＲ３はそれぞれ独立的に水素原子、糖残基、又はヒドロキシル基もしくはカルボキシル基で置換してもよいアルキル基である。但し、ｎ個のＲ１、ｎ個のＲ２及びｎ個のＲ３は同時に水素原子ではない。）
で表され、
る腋
（ｄ）特許第３２４３９５５号公報の特許請求の範囲における請求項４について、
　特許第３２４３９５５号公報第２頁第３欄第９行に、「ｎ個のＲ１、ｎ個のＲ２及びｎ個のＲ３の少なくとも一つが糖残基である請求項２又は３記載の腋下用化粧料。」との記載を
　「
前記式（１）において、ｎが７である請求項３記載の腋下用化粧料
（ｅ）特許第３２４３９５５号公報の特許請求の範囲における請求項６について、
　特許第３２４３９５５号公報第２頁第３欄第１４行に「糖残基がグリコシル基、マルトシル基又はマルトオリゴ糖残基である２〜５のいずれかに記載の腋下用化粧料。」との記載を
「糖残基がグリコシル基、マルトシル基又はマルトオリゴ糖残基である
１
と訂正する。
（５４）【発明の名称】
腋下用化粧料
（５７）【特許請求の範囲】
　【請求項１】　サイクロデキストリン類で包接された香料と、包接されていない香料とを含有
し、
　
サイクロデキストリン類が式（１）
　
【化１】
（式（１）中、ｎは６〜８の数であり、ｎ個のＲ１、ｎ個のＲ２及びｎ個のＲ３はそれぞれ独立的に水素原子、糖残基、又はカルボキシル基で置換してもよいアルキル基である。但し、ｎ個のＲ１、ｎ個のＲ２及びｎ個のＲ３は同時に水素原子ではない。）
で表される
　【請求項
２
１
　【請求項
３
サイクロデキストリン類で包接された香料と、包接されていない香料とを含有し、
　
サイクロデキストリン類が式（１）
　
【化２】
（式（１）中、ｎは６〜８の数であり、ｎ個のＲ１、ｎ個のＲ２及びｎ個のＲ３はそれぞれ独立的に水素原子、糖残基、又はヒドロキシル基もしくはカルボキシル基で置換してもよいアルキル基である。但し、ｎ個のＲ１、ｎ個のＲ２及びｎ個のＲ３は同時に水素原子ではない。）
で表され、
る腋
　【
請求項４
前記式（１）において、ｎが７である請求項３記載の腋下用化粧料
　【請求項５】　ｎ個のＲ１の少なくとも一つが糖残基である請求項４記載の腋下用化粧料。
　【請求項６】　糖残基がグリコシル基、マルトシル基又はマルトオリゴ糖残基である
１
　【請求項７】　糖残基がマルトシル基である請求項６記載の腋下用化粧料。
　【請求項８】　更に、噴射剤を含有する請求項１〜７のいずれかに記載の腋下用化粧料。
　【請求項９】　請求項８の腋下用化粧料がエアゾール噴出容器に充填されてなる腋下用エアゾール化粧品。
【発明の詳細な説明】
　【０００１】
　【産業上の利用分野】
　本発明は、香気の持続性に優れた腋下用化粧料に関する。より詳しくは、サイクロデキストリンで包接された香料と包接されていない香料との２タイプの香料を含有する腋下用化粧料に関する。
　【０００２】
　【従来の技術】
　従来より、腋からの発汗を抑制したり、汗に由来する腋臭の発生を防止するための腋下用化粧料が使用されている。このような腋下用化粧料としては、制汗剤や殺菌剤などを固形油脂基材に分散させスティック状に成形したスティック品や、溶媒にそれらを溶解あるいは分散させたロールオン塗布用液状組成物などが知られている。また、最近では、タルクなどの粉末基材にトリクロサンなどの殺菌剤や塩化アルミニウムなどの制汗剤を混合した組成物に、ＬＰＧなどの噴射剤を配合したエアゾール品が、その優れた使用感のために広く用いられるようになっている。
　【０００３】
　ところで、これらの腋下用化粧料には、使用感を高めるために、また、化粧料基材や腋下で発生した臭いをマスキングするために香料が配合されている。この場合、香料は他の成分とともに、単に均一に混合されている。
　【０００４】
　【発明が解決しようとする課題】
　しかしながら、上述のように香料を単に均一に混合した場合、香料の揮散速度が速いために、腋下に適用した直後の香気は良好であるが、持続性に欠ける。このため、特に、汗をかいて１時間程度経過し、微生物などの作用により好ましくない臭いが発生するようになったときには、香料のマスキング効果が得られないという問題があった。即ち、このような腋下用化粧料の典型的な適用頻度は、通常、朝の出勤もしくは通学時、午前の休憩時、昼休み時、午後の休憩時、及び帰宅時の２〜３時間毎、もしくは朝の出勤もしくは通学時、昼休み時及び帰宅時の４〜５時間毎であり、従って、適用当初の香気が少なくとも２時間程度は持続することが望まれるが、そのような要請さえ十分に満たされていない。
　【０００５】
　一方、香料の香気の持続性を向上させる目的で、サイクロデキストリン類に香料を包接させ、その香料を浴剤やシャンプーに配合することが提案されている（特公昭５２−２１５７３号公報、特開昭５３−５６３１３３号、同５５−３８３３８号公報等）。しかし、このようなサイクロデキストリンで包接された香料を腋下用化粧料に配合した場合には、浴剤やシャンプーの場合と異なり、使用時にサイクロデキストリン包接香料が直ちに多量の水に混合されて香料の揮散が急速に起こるわけではないので、適用直後の香気が不十分であるという問題がある。
　【０００６】
　なお、制汗用エアゾール組成物にシクロデキストリンを配合する例（特開平３−１７０４１５号公報等）も報告されているが、この場合にはサイクロデキストリンは香料を包接するためではなく、不快臭の吸着剤として用いられているので、香気の持続性にやはり問題がある。
　【０００７】
　本発明は、以上のような従来技術の課題を解決しようとするものであり、使用直後の香りだちが良好で、しかも少なくとも２時間程度の香気の持続性を有する香料を含有する腋下用化粧料を提供することを目的とする。
　【０００８】
　【課題を解決するための手段】
　本発明者は、腋下用化粧料用の香料として、サイクロデキストリンに包接させた香料と、包接させていない香料とを併用することにより上述の目的が達成できることを見出し、本発明を完成させるに至った。
　【０００９】
　即ち、本発明は、サイクロデキストリンで包接された香料（以下、ＣＤ包接香料と称する）と、包接されていない香料（以下、非包接香料と称する）とを含有する腋下用化粧料を提供する。
　【００１０】
　以下、本発明を詳細に説明する。
　【００１１】
　本発明の腋下用化粧料においては、ＣＤ包接香料と、非包接香料とを併用する。このため、腋下用化粧料の使用直後から、非包接香料が良好な香気を放つことができる。この非包接香料は徐々にその香気が弱くなるが、逆に、ＣＤ包接香料が、腋下の汗や湿気によりサイクロデキストリンから放れ、非包接香料の香気の低下を補填することができる。よって、香料の持続性に優れた腋下用化粧料となる。
　【００１２】
　本発明において使用するサイクロデキストリンとしては、式（１）
　【００１３】
　【化３】
（式（１）中、ｎは６〜８の数であり、ｎ個のＲ１、ｎ個のＲ２及びｎ個のＲ３はそれぞれ独立的に水素原子、糖残基、又はヒドロキシル基もしくはカルボキシル基で置換してもよいアルキル基である。但し、ｎ個のＲ１、ｎ個のＲ２及びｎ個のＲ３は同時に水素原子ではない。）
で表されるサイクロデキストリンを好ましく使用することができる。なかでも、ＣＤ包接香料が汗に接触した際に香料の迅速な放出が可能となるように、比較的高い水溶性を有するβ−サイクロデキストリン（式（１）中、ｎ＝７）を好ましく使用することができる。更に、β−サイクロデキストリンの水溶性を高めるために、ｎ個のＲ１、ｎ個のＲ２及びｎ個のＲ３の少なくとも一つに、好ましくはｎ個のＲ１の少なくとも一つに、特に好ましくはｎ個のＲ１のすべてに糖残基、例えば、マルトースに由来するマルトシル基、グルコースに由来するグルコシル基、マルトオリゴ糖に由来するマルトオリゴ糖残基などを導入することが好ましく、中でも、溶解性の改善の点からマルトシル基を使用することが特に好ましい。
　【００１４】
　なお、アルキル基としては、メチル基、エチル基などの未置換低級アルキル基、ヒドロキシエチル基、２，３−ジヒドロキシプロピル基などのモノ−又はジヒドロキシ低級アルキル基、又はカルボキシメチル基、２−カルボシキエチル基などのカルボキシ低級アルキル基を好ましく例示することができる。
　【００１５】
　本発明で使用するサイクロデキストリンの粒径は必要に応じて適宜決定することができる。例えば、腋下用化粧料をエアゾール容器に充填してエアゾール化粧料とする場合には、ノズルの目詰まりを防止するために１０〜１００μｍ程度の大きさとすることが好ましい。
　【００１６】
　また、ＣＤ包接香料あるいは非包接香料用の香料としては、特に限定されず、一般的な合成香料、天然香料あるいは調合香料を使用することができる。
　【００１７】
　更に、ＣＤ包接香料におけるサイクロデキストリンとそれに包接させる香料との割合は、香料がサイクロデキストリンの好ましくは０．００１〜３０重量％、より好ましくは０．１〜１５重量％とする。
　【００１８】
　なお、ＣＤ包接香料は、公知の方法（特開昭６３−２５４１９７号公報等）により調製することができる。例えば、マルトシル−β−サイクロデキストリンを適当量の水に溶解させた後、香料を添加し、ホモジナイザーなどを用いて高速で撹拌して包接化合物を生成させ、それを乾燥粉末化することにより調製することができる。
　【００１９】本発明の腋下用化粧料中におけるＣＤ包接香料の使用量は、香料の種類などにより異なるが、使用感の点で通常０．１〜２０重量％、好ましくは０．２〜１０重量％とする。
　【００２０】
　また、腋下用化粧料中における非包接香料の使用量（賦香率）は、香料の種類などにより異なるが、使用感の点で通常０．００１〜１０．０重量％、好ましくは０．００１〜５．０重量％とする。
　【００２１】
　本発明の腋下用化粧料には、上述した成分の他に、従来のスティックタイプ、液状タイプあるいは粉末エアゾールタイプにおいて用いられているような成分を含有させることができる。例えば、本発明の腋下用化粧料を、エアゾール噴射容器に充填して粉末エアゾール化粧料として使用する場合には、噴射剤、粉末基剤、粉末状制汗剤、粉状消臭性金属化合物などを含有することができる。
　【００２２】
　そのような噴射剤としては、公知のものを使用することができ、例えば、ＬＰＧ、ＬＮＧ、ブタンなどの炭化水素類、ジメチルエーテルなどのエーテル類等が挙げられる。これらは単独又は２種以上の混合物として用いることができる。腋下用化粧料（エアゾールタイプ）中の噴射剤の使用量は、好ましくは８０〜９８重量％、より好ましくは８５〜９６重量％とする。
　【００２３】
　粉末基剤としては、公知のものを使用することができ、タルク、カオリン、酸化チタン、ベントナイト、無水ケイ酸、マイカ、ゼオライト、ケイ酸マグネシウム、ケイ酸カルシウム、花弁状シリカ、雲母チタンなどの無機粉体や、シルク、ナイロン、ポリエチレン、ポリスチレン、ポリメタクリレート、ポリアクリル酸架橋体などの有機粉体などが挙げられる。これらは単独又は２種以上の混合物として用いることができる。腋下用化粧料（エアゾールタイプ）中の粉末基剤の使用量は、好ましくは１０重量％未満、より好ましくは０．５〜５重量％とする。
　【００２４】
　粉末状制汗剤としては、公知のものを使用することができ、塩化アルミニウム、オキシ塩化アルミニウム、塩基性臭化アルミニウム、クロルヒドロキシアルミニウム、クロルヒドロキシアルミニウムジルコニウム、硫酸亜鉛、フェノールスルホン酸アルミニウム、フェノールスルホン酸、塩基性乳酸アルミニウム亜鉛などの収斂作用を有する単体塩類、あるいはこれらの単体塩類を含有するグリコール複合体やアミノ酸複合体等が挙げられる。これらは単独又は２種以上の混合物として用いることができる。腋下用化粧料（エアゾールタイプ）中の粉末状制汗剤の使用量は、好ましくは１０重量％未満、より好ましくは０．５〜５重量％とする。
　【００２５】
　粉状消臭性金属化合物としては、公知のものを使用することができ、酸化マグネシウム、酸化亜鉛、炭酸カルシウム、炭酸マグネシウムなどが挙げられる。これらは単独又は２種以上の混合物として用いることができる。
　【００２６】
　更に、本発明の腋下用化粧料を、エアゾール噴射容器に充填して粉末エアゾール化粧料として使用する場合には、必要に応じて他の補助的添加剤、油分、界面活性剤、殺菌剤、ビタミン類、アミノ酸、抗炎症剤（グリチルリチン等）、冷感付与剤（メントール等）、生薬などを添加することができる。この場合、油分としては、流動パラフィン、ミリスチン酸オクチルドデシル、パルミチン酸イソプロピル、アジピン酸ジイソプロピル、アジピン酸ジイソブチル、シリコーン油、アボガド油、ホホバ油、ラノリン、２−エチルヘキサン酸セチル、ステアリン酸ブチル、ヘキサデシルアルコール、イソステアリン酸、クエン酸トリエチル、クエン酸アセチルトリブチル、フタル酸ブチル、オクタン酸セチル等が挙げられる。また、界面活性剤としては、ソルビタントリオレエート、ポリオキシエチレンモノオレエート、ポリオキシエチレンノニルフェニルエーテル、ポリオキシエチレン硬化ヒマシ油、トリポイオキシエチレンアルキルエーテルリン酸等が挙げられる。また、殺菌剤としては、塩化ベンザルコニウム、イソプロピルメチルフェノール、トリクロサン、トリクロロカルバニリド、塩酸クロルヘキシジン、塩化ベンゼトニウム等が挙げられる。
　【００２７】
　本発明の腋下用化粧料は、剤型に応じて常法により製造することができる。例えば、腋下用粉末エアゾール化粧料とする場合には、ＣＤ包接香料、非包接香料、噴射剤、粉末基剤、制汗剤などを均一に混合し、通常のエアゾール噴出容器に充填することにより製造することができる。また、スティックタイプや液状タイプの腋下用化粧料についても、他の適当な成分と共にＣＤ包接香料と非包接香料とを配合して製造することができる。
　【００２８】
　【作用】
　本発明の腋下用化粧料は、ＣＤ包接香料と非包接香料とを含有する。従って、腋下に適用直後から非包接香料が十分に揮散し好ましい香気を放つ。非包接香料の香気は時間の経過に従って減衰するが、その減衰分を補填するように、ＣＤ包接香料が汗などの作用により香気を放つようになる。従って、本発明の腋下用化粧料は香気の持続性に優れたものとなる。
　【００２９】
　【実施例】
　以下、本発明を実施例に従って具体的に説明する。
　【００３０】
　実施例１マルトシル−β−サイクロデキストリン（塩水港精糖社製）１８．６ｇを、精製水１００ｍｌに溶解し、その溶液に表１の処方の調合香料１．４ｇを添加し、常温で１００００ｒｐｍで２分間ホモジナイズした。その溶液を凍結乾燥することによりＣＤ包接香料（包接率７％）を得た。
　【００３１】
　【表１】
得られたＣＤ包接香料と、包接させていない表１の調合香料（非包接香料）とを使用し、表２の成分を均一に混合し、その混合物をエアゾール容器に充填することにより腋下用粉状エアゾール化粧料を製造した。
　【００３２】
　【表２】
　実施例２
　マルトシル−β−サイクロデキストリンに代えて、β−サイクロデキストリン（塩水港精糖社製）０．７ｇを使用する以外は、実施例１と同様にして腋下用粉状エアゾール化粧料を製造した。
　【００３３】
　比較例１
　ＣＤ包接香料を使用しない以外は、実施例１と同様に腋下用粉状エアゾール化粧料を製造した。
　【００３４】
　比較例２
調合香料（非包接香料）を使用しない以外は、実施例１と同様に腋下用粉状エアゾール化粧料を製造した。
　【００３５】
　（評価）
　実施例及び比較例との腋下用粉状エアゾール化粧料を、５名の成人女性被検者の左右の腋下にエアゾール容器より３秒ずつ塗布（約０．１２ｇ）した。塗布後１時間毎（０、１、２及び３時間後）の匂いの強さを、９名の匂い判定専門パネラーにより、比較例１の化粧料の塗布直後の香りの強さを５とし、３時間後の比較例１の化粧料の香りの強さを１とする５段階で評価した、この場合、３以上が実用上問題のないランクである。得られた結果を表３に示す。
　【００３６】
　【表３】
　３からわかるように、実施例１及び２の腋下用化粧料は、塗布直後から２時間経過後でも実用上問題のない高い香気を放っていた。
　【００３７】
　一方、比較例１の化粧料は、塗布直後の香り立ちは十分であったが、ＣＤ包接香料を含有していないので２時間後の香り立ちが不十分なものとなった。また、比較例２の化粧料は、経時的に汗の作用により香気が発現したが、非包接香料が配合されていないために塗布直後に香りが立たず、従って、塗布直後の使用感は不満足なものであった。
　【００３８】
　実施例３
　実施例１において使用したＣＤ包接香料と調合香料とを使用し、表４の成分を均一混合することにより腋下用化粧水を製造した。得られた化粧水は、香気の持続性に優れていた。
　【００３９】
　【表４】
　【００４０】
　実施例４
　実施例１において使用したＣＤ包接香料と調合香料とを使用し、表５の成分を均一混合することにより腋下用デオドラントローションを製造した。得られたローションは、香気の持続性に優れていた。
　【００４１】
　【表５】
　【００４２】
　【発明の効果】
　本発明によれば、腋下用化粧料に持続性に優れた香気を付与することができる。